(57)【要約】【課題】使用者の体格の違いや、上がり框の高さの違いなどに応じて、手摺本体２の高さをきめ細かに変更調整できるうえ、手摺本体２を最小限の手間で使用姿勢と不使用姿勢とに変位操作できる段差用補助手摺を提供する。【解決手段】建物の段差部分に装着されるブラケット１と、ブラケット１で起立支持される手摺本体２とを備えている。手摺本体２は、ブラケット１で支持される第１脚柱３と、段差部分の下段床面に接床する第２脚柱４と、手摺棒５・６を備えている。第２脚柱４は固定脚１０と調整脚１１とで入れ子構造に構成し、調整脚１１をロック具１２で任意の調整位置で固定できるようにする。ブラケット１は、任意の上下位置で第１脚柱３を固定するクランプ機構２１を備えている。第１脚柱３と第２脚柱４とをそれぞれ高さ調整可能とすることにより、手摺本体２の高さをきめ細かに調整できるし、必要時には手摺本体２を第１脚柱３の回りに邪魔にならない位置まで回転操作できる。【選択図】図１
2005089974.tif 000002
【特許請求の範囲】
【請求項１】
建物の段差部分に装着されるブラケット１と、ブラケット１で起立支持される手摺本体２とを備えており、
手摺本体２は、ブラケット１で支持される第１脚柱３と、段差部分の下段床面に接床する第２脚柱４と、第１、第２の両脚柱３・４で支持される手摺棒５・６とを備えており、
第２脚柱４は、手摺棒５・６に連なる固定脚１０と、固定脚１０に対して上下位置調整可能に装着される調整脚１１と、調整脚１１を任意の調整位置で移動不能に固定するロック具１２を含んでおり、
ブラケット１が、段差部分に締結固定されるベース２０と、第１脚柱３を上下位置変更可能に案内支持し、かつ任意の上下位置で第１脚柱３を固定するクランプ機構２１とを含んでいることを特徴とする段差用補助手摺。
【請求項２】
クランプ機構２１が、第１脚柱３の周面を挟み保持するクランプ本体２５と、クランプ本体２５をロック姿勢とアンロック姿勢とに切り換え操作する操作機構とで構成されており、
操作機構を切り換え操作して、クランプ本体２５がアンロック姿勢に切り換わった状態において、手摺本体２が第１脚柱３を中心にして回転変位できる請求項１記載の段差用補助手摺。
【請求項３】
クランプ機構２１が、第１脚柱３の周面を挟み保持するクランプ本体２５と、クランプ本体２５をロック姿勢とアンロック姿勢とに切り換え操作する操作機構とで構成されており、
操作機構が、切換レバー３３と、切換レバー３３と同行回転する可動カム３４と、可動カム３４に対応してクランプ本体２５の側に設けられる固定カム３５と、切換レバー３３および可動カム３４を回転可能に軸支するレバー軸３６を含んでおり、
切換レバー３３の回転動作に伴う可動カム３４と固定カム３５との接離移動によって、クランプ本体２５をロック姿勢とアンロック姿勢とに切り換え操作できる請求項１または２記載の段差用補助手摺。
【請求項４】
第２脚柱４が、管材で形成した固定脚１０と、固定脚１０に対して入れ子状に組まれて上下位置調整可能な調整脚１１とを備えており、
ロック具１２が、調整脚１１の周面を挟み保持する断面Ｃ字状の抱持リング４８と、抱持リング４８を締め込み操作するねじ４９とで構成してある請求項１または２または３記載の段差用補助手摺。
【請求項５】
第１脚柱３の下部に、ブラケット１で受け止め支持されて、手摺本体２の下降移動を規制するストッパー８が設けてある請求項２または３または４記載の段差用補助手摺。
【発明の詳細な説明】
【技術分野】
【０００１】
本発明は、玄関の上がり框、浴室、ベランダなどの段差部分に適用される補助手摺に関する。
【背景技術】
【０００２】
本発明に関して、上がり框に固定されるブラケットと、ブラケットで起立支持される手摺本体とで構成した補助手摺が公知である（特許文献１参照）。そこでは、手摺本体の支柱の下端をブラケットの筒体に内嵌装着し、筒体にねじ込んだ蝶ボルトで支柱を固定している。蝶ボルトを緩めることにより、手摺本体の上下位置を変更でき、さらに手摺本体を筒体の回りに回転変位できる。家具の搬入時などには、手摺本体をブラケットから取り外すこともできる。
【０００３】
この種の補助手摺において、高さ調整用の脚柱を直径が異なる入れ子構造の管材で形成し、大径の管材にねじ込んだボルトで小径の管材を任意の上下位置で固定することは公知である（特許文献２参照）。
【０００４】
【特許文献１】実開平３−６８２４１号公報（第５頁、第２図）
【特許文献２】特開平１０−１８９２５号公報（段落番号０００５、図３）
【発明の開示】
【発明が解決しようとする課題】
【０００５】
特許文献１の補助手摺においては、手摺本体の支柱部分の下側に蝶ボルトで係合固定される貫通穴を形成している。貫通穴は、軸線方向および周方向へ所定の間隔をあけて複数個ずつ形成してあり、蝶ボルトのねじ軸の先端が貫通穴と係合することによって、手摺本体を上下動不能に、かつ回転不能に固定できるようにしている。そのため、上下の位置調整や周方向の位置調整を行う場合には、貫通穴の形成間隔が調整量の最小単位とならざるを得ず、使用者の体格の違いや、上がり框の高さの違いに応じてきめ細かな位置調整を行うことができない。手摺本体の全体が、ブラケットで片持状に支持してあるので、支柱とブラケットとの連結部分に大きな傾動モーメントが作用するのを避けられず、そのため、繰返し傾動モーメントが作用する間に、ブラケットを上がり框に固定しているボルトが弛み、手摺本体がぐらつきやすい点で安全性に問題がある。
【０００６】
この点、特許文献２の補助手摺は、手摺本体の主脚を上がり框に固定し、高さ調整用の脚柱を玄関の床面に接地させるので、補助手摺に作用する外力を分散支持でき、大きな傾動モーメントが局部的に集中するのを解消できる。脚柱の高さを任意高さに調整できる利点もある。しかし、高さ調整用の脚柱で調整できるのは、建物によって、玄関床面から上がり框の上面までの高さが違うのを調整できるにすぎず、使用者の体格などに応じて手摺の高さを適正化できるわけではない。手摺本体の主脚が、ブラケットを介して上がり框に直接固定されており、手摺本体側の高さが一定不変だからである。
【０００７】
従来の補助手摺は、その設置個所に制約がある点で使用上の制約がある。例えば、玄関には下駄箱や収納棚などを設置することが多いが、履物などを出し入れする際に邪魔になるのを避けるために、補助手摺はこの種の収納体の近傍を避けて設置しなければならない。場合によっては、収納体の設置位置を変更して、補助手摺を設置するための空間を確保する必要もある。因みに、特許文献１の補助手摺は、蝶ボルトを緩めることで手摺本体を筒体の回りに回転変位できるので、必要に応じて手摺本体を邪魔にならない位置まで回転変位することは不可能ではない。しかし、この補助手摺は、手摺本体を使用に適した姿勢に位置調整するために、手摺本体を筒体の回りに回転変位できるようにしているに過ぎず、手摺本体を邪魔にならない姿勢に変位操作し、再び使用姿勢に戻すには、あまりにも多くの手間が掛かる。
【０００８】
本発明の目的は、使用者の体格の違いや、上がり框の高さの違いなどに応じて、手摺本体の高さや縦軸回りの姿勢をきめ細かに変更調整できるのはもちろん、使用者を確りと支えることができる頑丈で安全性に優れた段差用補助手摺を提供することにある。本発明の目的は、手摺本体を最小限の手間で使用姿勢と不使用姿勢とに変位操作できるうえ、家具の搬入時などには、手摺本体をブラケットから取り外すこともでき、従って、下駄箱などの収納体の前面などであっても問題なく設置できる、使い勝手のよい段差用補助手摺を提供することにある。
【課題を解決するための手段】
【０００９】
本発明の補助手摺は、建物の段差部分に装着されるブラケット１と、ブラケット１で起立支持される手摺本体２とを備えている。手摺本体２は、ブラケット１で支持される第１脚柱３と、段差部分の下段床面に接床する第２脚柱４と、第１、第２の両脚柱３・４で支持される手摺棒５・６とを備えている。第２脚柱４は、手摺棒５・６に連なる固定脚１０と、固定脚１０に対して上下位置調整可能に装着される調整脚１１と、調整脚１１を任意の調整位置で移動不能に固定するロック具１２を含んでいる。ブラケット１は、段差部分に締結固定されるベース２０と、第１脚柱３を上下位置変更可能に案内支持し、かつ任意の上下位置で第１脚柱３を固定するクランプ機構２１とを含んでいる。つまり、手摺本体２を支持する第１脚柱３と第２脚柱４のそれぞれを、高さ調整可能として手摺本体２の高さをきめ細かに調整できるようにする（請求項１）。
【００１０】
クランプ機構２１は、第１脚柱３の周面を挟み保持するクランプ本体２５と、クランプ本体２５をロック姿勢とアンロック姿勢とに切り換え操作する操作機構とで構成する。以って、操作機構を切り換え操作して、クランプ本体２５がアンロック姿勢に切り換わった状態において、手摺本体２が第１脚柱３を中心にして回転変位できるようにする（請求項２）。
【００１１】
クランプ機構２１は、第１脚柱３の周面を挟み保持するクランプ本体２５と、クランプ本体２５をロック姿勢とアンロック姿勢とに切り換え操作する操作機構とで構成する。操作機構は、切換レバー３３と、切換レバー３３と同行回転する可動カム３４と、可動カム３４に対応してクランプ本体２５の側に設けられる固定カム３５と、切換レバー３３および可動カム３４を回転可能に軸支するレバー軸３６を含んでいる。以て、切換レバー３３の回転動作に伴う可動カム３４と固定カム３５との接離移動によって、クランプ本体２５をロック姿勢とアンロック姿勢とに切り換え操作できるようにする（請求項３）。
【００１２】
第２脚柱４は、管材で形成した固定脚１０と、固定脚１０に対して入れ子状に組まれて上下位置調整可能な調整脚１１とを備えている。ロック具１２は、調整脚１１の周面を挟み保持する断面Ｃ字状の抱持リング４８と、抱持リング４８を締め込み操作するねじ４９とで構成する（請求項４）。
【００１３】
第１脚柱３の下部に、ブラケット１で受け止め支持されて、手摺本体２の下降移動を規制するストッパー８を設ける（請求項５）。
【発明の効果】
【００１４】
本発明では、ブラケット１で支持される第１脚柱３と、段差部分の下段床面に接床する第２脚柱４と、第１、第２の両脚柱３・４で支持される手摺棒５・６などで手摺本体２を構成し、第１脚柱３をクランプ機構２１で上下位置変更可能に案内支持して、任意の上下位置で第１脚柱３を固定できるようにした。さらに、第２脚柱４を、入れ子構造の固定脚１０と調整脚１１とで構成し、調整脚１１をロック具１２で任意の調整位置において移動不能に固定できるようにした。このように、第１脚柱３と第２脚柱４のそれぞれの高さを調整可能とした補助手摺によれば、例えば上がり框の高さの違いに応じて手摺本体２の高さを調整できるのはもちろん、使用者の体格の違いに応じて手摺本体２の高さをきめ細かに変更調整でき、補助手摺の使い勝手を向上できる。第１、第２の両脚柱３・４で手摺本体２を支持するので、手摺本体２に作用する外力を両脚柱３・４で分散支持し、使用者を確りと支えることができる頑丈で安全性に優れた段差用補助手摺が得られる（請求項１）。
【００１５】
第１脚柱３を固定するクランプ本体２５と、クランプ本体２５をロック姿勢とアンロック姿勢とに切り換え操作する操作機構とでクランプ機構２１を構成し、クランプ本体２５をアンロック姿勢に切り換えた状態において、手摺本体２を第１脚柱３を中心にして回転変位できるようにした補助手摺によれば、操作機構を切り換え操作するだけで、手摺本体２を使用姿勢から不使用姿勢とに変位操作できるので、例えば補助手摺が下駄箱などの収納体の前面に設置してあったとしても、履物の出し入れを問題なく行うことができなど、補助手摺の設置場所の情況に応じて周辺空間を有効利用できる。家具の搬出入時などには、手摺本体２をブラケットから取り外すことにより、搬入作業あるいは搬出作業を支障なく行うことができる（請求項２）。
【００１６】
切換レバー３３、可動カム３４、および固定カム３５などで操作機構を構成し、切換レバー３３を切り換え操作するときの可動カム３４と固定カム３５との接離移動によって、クランプ本体２５をロック姿勢とアンロック姿勢とに切り換え操作できるようにした操作機構によれば、切換レバー３３を所定角度回転操作するだけの最小限の手間で、クランプ本体２５をワンタッチでロック姿勢とアンロック姿勢とにワンタッチ切り換えできるので、手摺本体２の姿勢変更を迅速に、しかも簡便に行うことができ、姿勢変更に要する手間を著しく軽減できる（請求項３）。
【００１７】
入れ子状に組んだ固定脚１０と調整脚１１とで第２脚柱４を上下調整可能とし、任意の調整位置で調整脚１１をロック固定するロック具１２を、抱持リング４８、およびねじ４９とで構成すると、任意の上下位置において調整脚１１をロック固定できるので、使用者の体格の違いや、上がり框の高さの違いなどに応じて、手摺本体２の高さ調整を綿密に行える。ロック状態において、調整脚１１を抱持リング４８で抱持固定するので、調整後に調整脚１１ががた付くのを確実に防止でき、従来の補助手摺に比べて、使用者の体重を安定した状態で支えることができる利点もある（請求項４）。
【００１８】
第１脚柱３の下部に手摺本体２の下降移動を規制するストッパー８を設けると、クランプ本体２５をアンロック姿勢に切り換えた状態において、第１脚柱３が手摺本体２の重みでガイド穴２６に沿って下降しようとするのをストッパー８で規制し、手摺本体２が傾動するのを阻止できるので、補助手摺の姿勢変更操作を円滑に行える。家具の搬入や搬出を行うために手摺本体２をブラケット１から取り外し、ブラケット１に再び組み付ける場合に、手摺本体２の高さ調整を改めて行う必要がなく、速やかに補助手摺２を使用姿勢に復帰できる利点もある（請求項５）。
【発明を実施するための最良の形態】
【００１９】
図１ないし図１０は本発明に係る段差用補助手摺の実施例を示す。図１および図２において補助手摺は、例えば玄関の上がり框（段差部分）の縦壁に装着されるブラケット１と、ブラケット１で起立支持される手摺本体２とで構成する。
【００２０】
手摺本体２は、ブラケット１で支持される垂直の第１脚柱３と、玄関床面に接床する垂直の第２脚柱４と、第１、第２の両脚柱３・４で支持される上下の手摺棒５・６などで構成する。第１脚柱３、第２脚柱４、および手摺棒５・６はそれぞれ断面円形のアルミニウム管を素材にして形成してあり、溶接、あるいはエルボ状の接手７で連結されて一体化する。第１脚柱３の下部外面には、手摺本体２の下降移動を規制するストッパー８が設けてある。ストッパー８は第１脚柱３に沿って上下スライドできる金属リングからなり、その周方向複数箇所に設けたビス９をねじ込むことにより、任意の上下位置において第１脚柱３に固定できる。
【００２１】
第１脚柱３が１個の管材で形成してあるのに対し、第２脚柱４は、手摺棒５・６に連なる大径の固定脚１０と、固定脚１０に対して出し入れできる小径の調整脚１１とで入れ子状に構成する。固定脚１０の下端には、調整脚１１を任意の上下調整位置で移動不能に固定するロック具１２が固定してあり、調整脚１１の下端には、ゴムまたはプラスチックで形成した滑り止め用の脚座１３が固定してある。
【００２２】
第２脚柱４の固定脚１０の上下中途部に水平の手摺棒６の一端を溶接し、手摺棒６の他端寄りに第１脚柱３の上端を溶接し、さらに固定脚１０および第１脚柱３の下端寄りに補強棒１４を溶接することにより、両脚柱３・４と手摺棒６とをｈ字状に組む。このｈ字状の基枠に対して上側の手摺棒５が接手７を介して連結固定してある。詳しくは、手摺棒６の突端と、固定脚１０の上端とのそれぞれに接手７をビスで固定し、両接手７に上側の手摺棒５を連結してビスで固定する。
【００２３】
図２に示すように上側の手摺棒５は、垂直の縦枠５ａと、縦枠５ａに連続する水平の横枠５ｂと、横枠５ｂに連続して下り傾斜する斜め枠５ｃと、斜め枠５ｃに連続して半円状に湾曲する端枠５ｄとを備えており、縦枠５ａの下端および端枠５ｄの湾曲端部のそれぞれが先の接手７に嵌合連結される。このように、両脚柱３・４と上下の手摺棒５・６を無端枠状に組むと、着衣の裾や袖が手摺棒５・６に引っ掛かるのを確実に防止できる。
【００２４】
図１に示すように、手摺本体２をブラケット１で起立支持した状態において、横枠５ｂは上がり框の床面上方に張り出してあり、斜め枠５ｃおよび端枠５ｄは第２脚柱４の接床位置よりも張り出してある。上がり框の上り下りが完全に終わるまで、使用者を安定した状態で支えられるようにするためである。
【００２５】
図３においてブラケット１は、上がり框に締結固定されるベース２０と、ベース２０に固定されるクランプ機構２１と、これら両者の外面を覆うカバー２２とで構成する。ベース２０は鋼板を横長長方形状に形成してあり、その４隅がビス２３で上がり框の縦壁に締結固定してある。クランプ機構２１は、第１脚柱３の周面を挟み保持するクランプ本体２５と、クランプ本体２５をロック姿勢とアンロック姿勢とに切り換え操作する操作機構とで構成する。
【００２６】
射出成形したプラスチックブロックからなるクランプ本体２５には、第１脚柱３を支持するガイド穴２６が上下貫通状に形成してあり、ガイド穴２６の一側に連続してスリット２７が形成され、スリット２７の前後に一対の締付座２８・２９が設けてある。前後の締付座２８・２９を後述する操作機構で接離操作することにより、ガイド穴２６の周囲壁を拡縮変形させて、第１脚柱３をクランプ固定し、あるいは固定状態を解除できる。クランプ本体２５は、４個のビス３０でベース２０の外面に接合固定される。前後の締付座２８・２９には、後述するレバー軸３６用の挿通穴３１がそれぞれ形成してある（図４参照）。
【００２７】
操作機構は、切換レバー３３と、切換レバー３３と同行回転する可動カム３４と、可動カム３４に対応してクランプ本体２５の前側の締付座２８に凹み形成される固定カム３５と、切換レバー３３および可動カム３４を回転可能に軸支するレバー軸３６などで構成する。可動カム３４と固定カム３５の接合面には、それぞれ扇形のカム突起３４ａ・３５ａと凹部とが周方向へ交互に形成してある。図４に示すようにカム突起３４ａ・３５ａと凹部とが対向する状態では両カム３４・３５が近接し、図５および図８に示すようにカム突起３４ａ・３５ａどうしが対向する状態では両カム３４・３５が離れるので、両カム３４・３５の接離移動によって、クランプ本体２５をロック姿勢とアンロック姿勢とに切り換え操作できる。
【００２８】
図４に示すように、可動カム３４を固定カム３５に接合した状態で、可動カム３４と前後の締付座２８・２９とをレバー軸３６で連結することにより、可動カム３４がクランプ本体２５と一体化される。この実施例では市販のボルトをレバー軸３６として利用し、後側の締付座２９の側から２個のナット３７をねじ軸にねじ込んで、レバー軸３６を固定した。ナット３７に締め込み量を加減することにより、クランプ本体２５の締め付け力を調整できる。
【００２９】
可動カム３４の回転可能な角度を９０度に規定するために、図５に示すようにそのカム突起３４ａの周面に規制爪３８を突設し、固定カム３５が形成される凹部の周面対向位置に、規制爪３８と接当する段部３９を設けている。このように、可動カム３４の動作領域を規制すると、切換レバー３３が必要以上に回転操作されるのを防止できるので、クランプ本体２５の姿勢切り換えの手間をさらに軽減できる。
【００３０】
図９に示すように、切換レバー３３と可動カム３４とは、可動カム３４に設けた角軸４０を介して相対回転不能に連結されて、レバーボスの外面からねじ込んだビス４１で分離不能に一体化してある。図４に示すように、切換レバー３３を垂直姿勢にすると、クランプ本体２５がアンロック姿勢に切り換わるので、第１脚柱３はクランプ本体２５に対して自由に上下スライドでき、さらに手摺本体２の全体が第１脚柱３を中心にして回転変位できる。この状態から切換レバー３３を反時計回転方向へ回転操作して図８に示すように水平姿勢にすると、クランプ本体２５がロック姿勢に切り換わって第１脚柱３を固定するので、第１脚柱３を上下スライド、および回転不能に固定保持できる。
【００３１】
カバー２２はプラスチック成形品からなり、その上下壁と前壁には、それぞれ第１脚柱３用の通口４３と、切換レバー３３用の通口４４とが開口してある。カバー２２は、４個のビス４５でクランプ本体２５の上下面に固定される。
【００３２】
図５および図６に調整脚１１を固定するためのロック具１２を示す。ロック具１２は、固定脚１０の下端に外嵌固定されるボス４７と、調整脚１１の周面を挟み保持する断面Ｃ字状の抱持リング４８と、抱持リング４８を締め込み操作するボルト（ねじ）４９とで構成する。ボス４７と抱持リング４８とは一体に形成してあり、抱持リング４８に設けた一対の締付座５０をボルト４９で締め付けることにより、調整脚１１を抱持リング４８で上下移動不能に固定できる。
【００３３】
次に、補助手摺の組付手順を説明する。切換レバー３３が分離してあるクランプ機構２１を上がり框にあてがい、そのべース２０をビス２３で固定し、カバー２２と切換レバー３３をクランプ本体２５に組み付ける。切換レバー３３をロック解除位置に切り換えて第１脚柱３をガイド穴２６に差し込んで仮組みする。ロック具１２のボルト４９を緩めて調整脚１１を固定脚１０に対して上下スライド可能とし、この状態で、手摺本体２の上下位置を調整して使用者に適合する高さを決める。
【００３４】
手摺本体２の上下高さが決待った時点で、切換レバー３３をロック位置に切り換えて第１脚柱３を固定する。ストッパー８を第１脚柱３に沿って下方スライドさせ、その下面がカバー２２と接当する状態でビス９を締め込み、ストッパー８を固定する。最後に、調整脚１１の脚座１３を玄関の床面に押し当てた状態で、ロック具１２のボルト４９を締め込んで調整脚１１を移動不能に固定する。
【００３５】
以上のように構成した補助手摺は、図１０に示すように、手摺本体２が玄関の下駄箱に隣接する状態で使用することができる。履物を下駄箱に出し入れするときは、切換レバー３３をアンロック位置に切り換えて、クランプ本体２５による第１脚柱３の拘束を解除する。次に、手摺本体２を僅かに持ち上げながら、下駄箱から遠ざかる向きに回転操作して、図１０に実線で示すように、上がり框と平行な不使用位置まで退避操作する。この状態では、下駄箱の前面空間が開放されるので、下駄箱のドアの開閉や、履物などの出し入れを支障なく行うことができる。補助手摺を使用姿勢に戻すときは、補助手摺２を退避位置から、想像線で示す使用位置まで回転操作したのち、切換レバー３３をロック位置に切り換えるだけでよい。
【００３６】
クランプ機構２１をロック解除した状態においては、手摺本体２の重みで第１脚柱３がガイド穴２６に沿って下降しようとするが、図４に示すように第１脚柱３に固定したストッパー８が手摺本体２の重みを受け止めるので、クランプ機構２１をロック解除しても補助手摺が傾動することはない。なお、家具の搬入や搬出を行うときは、切換レバー３３をアンロック位置に切り換えて、手摺本体２をブラケット１から取り外す。
【００３７】
上記の実施例以外に、ベース２０とクランプ本体２５とは一体に形成することができる。固定脚１０と調整脚１１とは非円形断面の管材で形成することができ、必要があれば調整脚１１を大径の管材で形成し、固定脚１０を小径の管材で形成することができる。両脚１０・１１のいずれか一方のみを管材で形成してもよく、要は入れ子構造であれば足りる。クランプ機構２１は、一対のカム３４・３５を締緩要素として構成する必要はなく、例えばレバーリンク機構で構成することができる。第１脚柱３の周面はセレーション軸状に形成することができる。
【図面の簡単な説明】
【００３８】
【図１】段差用補助手摺の斜視図である。
【図２】段差用補助手摺の分解斜視図である。
【図３】クランプ機構の分解斜視図である。
【図４】クランプ機構の縦断側面図である。
【図５】可動カムと固定カムの構造を示す断面図である。
【図６】ロック具の縦断側面図である。
【図７】図６におけるＡ−Ａ線断面図である。
【図８】ロック状態のクランプ本体を示す横断平面図である。
【図９】アンロック状態のクランプ本体を示す横断平面図である。
【図１０】手摺本体を退避操作した状態の平面図である。
【符号の説明】
【００３９】
１  ブラケット
２  手摺本体
３  第１脚柱
４  第２脚柱
５・６  手摺棒
８  ストッパー
１０  固定脚
１１  調整脚
１２  ロック具
２０  ベース
２１  クランプ機構
２５  クランプ本体
３３  切換レバー
３４  可動カム
３５  固定カム
３６  レバー軸
４８  抱持リング
４９  ねじ
【図１】
2005089974.tif 000003
【図２】
2005089974.tif 000004
【図３】
2005089974.tif 000005
【図４】
2005089974.tif 000006
【図５】
2005089974.tif 000007
【図６】
2005089974.tif 000008
【図７】
2005089974.tif 000009
【図８】
2005089974.tif 000010
【図９】
2005089974.tif 000011
【図１０】
2005089974.tif 000012